(57)【要約】  データ処理装置は表示画面を作成する装置であって、外部から表示画面を作成するためのデータを取得する取得部（７５）と、取得部（７５）で取得されたデータを保存する第１保存部（８０）と、データ処理装置の電源オンまたは待機の要求が有るか否かを判定する判定部（３０）と、第１判定部でデータ処理装置の電源待機の要求が有ると判定した場合に、第１保存部（８０）で保存されたデータを用いて、表示画面を作成する作成部（６０）と、作成部で作成された表示画面を保存する第２保存部（５０）とを備える。
2007532039.tif 000002
【特許請求の範囲】
【請求項１】
表示画面を作成するデータ処理装置であって、
外部から表示画面を作成するためのデータを取得する取得部と、
前記取得部で取得されたデータを保存する第１保存部と、
前記データ処理装置の電源オンまたは待機の要求が有るか否かを判定する判定部と、
前記判定部で装置の電源待機の要求が有ると判定した場合に、前記第１保存部で保存されたデータを用いて、表示画面を作成する作成部と、
前記作成部で作成された表示画面を保存する第２保存部と
を備えるデータ処理装置。
【請求項２】
表示画面を作成するデータ処理装置であって、
外部から表示画面を作成するためのデータを取得する取得部と、
前記取得部で取得されたデータを保存する第１保存部と、
実時間を計測する計測部と、
前記計測部で計測された実時間が所定の時刻であるか否かを判定する判定部と、
前記判定部で所定の時刻であると判定した場合に、前記第１保存部で保存されたデータを用いて、表示画面を作成する作成部と、
前記作成部で作成された表示画面を保存する第２保存部
を備えるデータ処理装置。
【請求項３】
表示画面を表示する表示部と、
前記データ処理装置に表示画面表示要求が有るか否かを判定する第２判定部と、
前記第２判定部で表示画面の表示要求が有ると判定した場合に、装置の電源状態を判定する第３判定部と
前記第３判定部で装置の電源が待機状態であると判定した場合に、前記第２保存部で保存された表示画面を前記表示部に表示させる制御部と
をさらに備える、請求項１または請求項２に記載のデータ処理装置。
【請求項４】
前記制御部は、前記判定部で電源オンの要求が有ると判定した場合に、前記第２保存部で保存された表示画面を消去することを特徴とする、請求項３に記載のデータ処理装置。
【請求項５】
前記第１保存部で保存されるデータは番組表を作成するためのデータであることを特徴とする、請求項１または請求項２に記載のデータ処理装置。
【請求項６】
前記第１保存部で保存されるデータは番組表を作成するためのデータであることを特徴とする、請求項３に記載のデータ処理装置。
【請求項７】
表示画面を作成する装置に対するデータ処理方法であって、
外部から表示画面を作成するためのデータを取得するステップと、
前記取得されたデータを第１保存部に保存するステップと、
前記装置の電源オンまたは待機の要求が有るか否かを判定するステップと、
前記装置の電源待機の要求が有ると判定した場合に、前記第１保存部に保存されたデータを用いて、表示画面を作成するステップと、
前記作成された表示画面を第２保存部に保存するステップと
を有するデータ処理方法。
【請求項８】
表示画面を作成する装置に対するデータ処理方法であって、
外部から表示画面を作成するためのデータを取得するステップと、
前記取得されたデータを第１保存部に保存するステップと、
実時間を計測するステップと、
前記計測された実時間が所定の時刻であるか否かを判定するステップと、
前記計測された実時間が所定の時刻であると判定した場合に、前記第１保存部に保存されたデータを用いて、表示画面を作成するステップと、
前記作成された表示画面を第２保存部に保存するステップと
を有するデータ処理方法。
【請求項９】
前記装置に表示画面の表示要求が有るか否かを判定するステップと、
装置に表示画面の表示要求が有ると判定した場合に、前記装置の電源状態を判定するステップと、
前記装置の電源状態が待機状態であると判定した場合に、前記第２保存部に保存された表示画面を表示するステップと
をさらに有する、請求項７または請求項８に記載のデータ処理方法。
【発明の詳細な説明】
【技術分野】
【０００１】
本発明は、放送信号やインターネット等から番組情報を取得し、番組表を作成し、画面上に表示するデータ処理装置に関する。
【背景技術】
【０００２】
近年、放送受信機器や録画機器において、電源オフの間に、番組情報を放送信号やインターネットから取得し、電源オン後、取得した番組情報に基づいて番組表（EPG：Electric Program Guide）を作成し画面上に表示する機器が普及している。例として、特許文献１がある。
【特許文献１】特開２００３−１６３８５４号公報
【発明の開示】
【発明が解決しようとする課題】
【０００３】
近年、放送受信機器や録画機器は多機能化により、機器の電源オフ状態から立ち上げにおいて、その起動時間に数十秒を要するようになってきた。これは、電源オフ状態において、電源オンすると、所定のソフトウェアのローディングや、ドライブの判別等、種々の処理を実行する必要があるからである。
【０００４】
このため、放送受信機器や録画機器において電源オンの操作をしてから、番組表が表示されるようになるまでには、最低でも、数十秒かかっていた。このため、ユーザは、機器の立ち上げ時において、短時間の間に番組表の閲覧や番組の予約などを行いたくても、機器の起動時間の数十秒待たされることとなり、番組表の閲覧や番組の録画の予約作業においてストレスを感じることがあった。
【０００５】
本発明は上記課題を解決すべくなされたものであり、その目的とするところは、機器の起動時に迅速に番組表の閲覧を可能とするデータ処理装置を提供することにある。
【課題を解決するための手段】
【０００６】
本発明の第１の態様において、表示画面を作成するデータ処理装置が提供される。データ処理装置は、外部から表示画面を作成するためのデータを取得する取得部と、取得部で取得されたデータを保存する第１保存部と、データ処理装置の電源オンまたは待機の要求が有るか否かを判定する判定部と、その判定部で装置の電源待機の要求が有ると判定した場合に、第１保存部で保存されたデータを用いて、表示画面を作成する作成部と、作成部で作成された表示画面を保存する第２保存部とを備える。
【０００７】
この構成によれば、装置の待機状態中に、表示画面を作成し、保存しておくことができ、待機状態が解除された際、直ちに、その保存した表示画面を表示に使用することができる。
【０００８】
本発明の第２の態様において、表示画面を作成するデータ処理装置が提供される。データ処理装置は、外部から表示画面を作成するためのデータを取得する取得部と、取得部で取得されたデータを保存する第１保存部と、実時間を計測する計測部と、計測部で計測された実時間が所定の時刻であるか否かを判定する判定部と、その判定部で所定の時刻であると判定した場合に、第１保存部で保存されたデータを用いて、表示画面を作成する作成部と、作成部で作成された表示画面を保存する第２保存部とを備える。
【０００９】
この構成によれば、保存された表示画面を所定の時刻毎に最新のものに更新することができ、表示画面の表示要求があった際に、直ちに最新の表示画面を表示に使用することができる。
【００１０】
上記のデータ処理装置は、さらに、表示画面を表示する表示部と、データ処理装置に表示画面の表示要求が有るか否かを判定する第２判定部と、第２判定部で表示画面の表示要求が有ると判定した場合に、データ処理装置の電源状態を判定する第３判定部と、第３判定部で装置の電源が待機状態であると判定した場合に、前記第２保存部で保存された表示画面を表示部に表示させる制御部とを備えてもよい。この構成により、表示画面の表示要求があったときに直ちに表示画面を表示させることができる。
【００１１】
本発明の第３の態様において、表示画面を作成する装置に対するデータ処理方法が提供される。そのデータ処理方法は、外部から表示画面を作成するためのデータを取得する取得ステップと、取得ステップで取得されたデータを第１保存部に保存する第１保存ステップと、装置の電源オンまたは待機の要求が有るか否かを判定する第１判定ステップと、第１判定ステップで装置の電源待機の要求が有ると判定した場合に、第１保存部にステップで保存されたデータを用いて、表示画面を作成する作成ステップと、作成ステップで作成された表示画面を第２保存部に保存する第２保存ステップとを有する。
【００１２】
本発明の第４の態様において、表示画面を作成する装置に対するデータ処理方法が提供される。そのデータ処理方法は、外部から表示画面を作成するためのデータを取得する取得ステップと、取得ステップで取得されたデータを第１保存部に保存する第１保存ステップと、実時間を計測する計測ステップと、計測ステップで計測された実時間が所定の時刻であるか否かを判定する第２判定ステップと、計測された実時間が第２判定ステップで所定の時刻であると判定した場合に、第１保存部にステップで保存されたデータを用いて、表示画面を作成する作成ステップと、作成ステップで作成された表示画面を第２保存部に保存する第２保存ステップと
を有する。
【発明の効果】
【００１３】
本発明のデータ処理装置は、電源オフの状態から、特定ボタンを操作することにより、最新の番組表を瞬時に表示することができ、ユーザは番組表の閲覧、番組録画の予約をストレス無く実行できる。
【発明を実施するための最良の形態】
【００１４】
以下、本発明のデータ処理装置の実施形態を、映像情報出力装置の例を用いて添付の図面を参照しながら説明する。なお、以下の説明において「番組表」とは実際に表示装置に表示される番組表映像に相当し、「番組表データ」とは番組表を作成するための元データ（番組情報）のことである。
【００１５】
１  構成
図１は、本発明の実施形態の映像情報出力装置の構成を示す図である。
映像情報出力装置１は、映像選択部２０と、電源制御部３０と、入力装置４０と、表示用バッファ５０と、番組表制御部６０と、時間計測部７０と、番組表データ取得部７５と、番組表データ保持部８０と、映像処理部９０と、録画制御部１００とを備える。
本実施の形態では、映像情報出力装置１は、映像信号をＤＶＤ（Digital Versatile Disk）やＨＤＤ（Hard Disk Drive）等の記録媒体に記録し、且つ、記録した映像信号を再生可能なＤＶＤレコーダであるとする。映像情報出力装置１は表示装置１０に対して映像信号を出力可能である。
表示装置１０は映像信号が表示可能な装置であり、例えば、テレビジョン受像機やモニタである。映像選択部２０は、映像処理部９０からの映像信号及び表示用バッファ５０からの映像信号のいずれかを選択的に表示装置１０に出力する。なお、映像選択部２０は必要に応じて映像処理部９０からの映像信号と表示用バッファ５０からの映像信号とを重畳して表示装置１０に出力してもよい。電源制御部３０は映像情報出力装置１の電源状態の管理および制御を行う。
【００１６】
入力装置４０はユーザが行う様々な操作指示を入力可能な装置であり、本実施形態では、入力装置４０は映像情報出力装置１の遠隔操作を可能とするリモコンとする。なお、入力装置４０は、遠隔操作を行うリモコンの替わりに映像情報出力装置本体に装備された操作部であってもよい。図２に入力装置４０（リモコン）の構成を示す。入力装置４０は種々のボタン４０１、４０２、…を有する。電源ボタン４０１は映像情報出力装置の電源をオン／オフするボタンである。番組表ボタン４０２は、表示装置１０上に番組表を表示させるためのボタンである。録画ボタン４０３は、受信中の番組の録画を開始させるボタンである。予約録画ボタン４０４は録画予約を開始するためのボタンである。上下左右の選択ボタン４０５は、ユーザによる設定や選択において所望の項目を選択するために使用するボタンである。
【００１７】
図１に戻り、表示用バッファ５０は、表示装置１０上に表示させるべきグラフィックス情報を格納する手段であり、ビデオＲＡＭ等で構成される。本実施の形態では、表示用バッファ５０には、少なくとも番組表制御部６０の制御により番組表が格納される。
【００１８】
番組表制御部６０は、放送波やインターネットから伝送される番組表データに基づき番組表を作成するとともに、番組表に対する種々の制御を行う。時間計測部７０は実時間を計測する。
【００１９】
番組表データ取得部７５は、放送信号やインターネット等から所定のタイミングで番組表データを取得する。
【００２０】
番組表データ保持部８０は不揮発メモリ等の記憶装置で構成され、番組表データ取得部７５により取得された番組表データを格納する。映像処理部９０はアンテナ及びチューナを介して本映像情報出力装置に入力される信号を処理して映像信号を出力する。
【００２１】
番組表データ保持部８０は、現時刻から１週間分の番組データを常に保持しているものとする。保持期間は１週間に限るものではない。また、映像処理部９０が出力する映像の生成元は、アナログ放送またはデジタル放送の放送信号を復号したものなどが考えられる。また、表示用バッファ５０を番組表の表示のために使用しているが、それ以外の情報の表示（例えば、メニュー画面、機器の状態表示・設定画面）に使用してもよい。
【００２２】
録画制御部１００は映像信号の録画や予約録画を実施し、映像信号を記録するＨＤＤ等の記録媒体と、記録媒体にアクセスする記録部と、記録部に対する録画動作制御や予約録画制御を行う制御部とを含む。
【００２３】
なお、映像情報出力装置はＤＶＤレコーダに限られず、テレビジョン受像機であってもよい。映像情報出力装置がテレビジョン受像機である場合の構成を図３に示す。図３に示す映像情報出力装置１ｂは表示装置１０ｂを含み、表示装置１０ｂは映像信号が表示可能なＣＲＴディスプレイやＬＣＤ（液晶ディスプレイ）である。録画制御部１００は、ＤＶＤレコーダなどの記録再生装置１５０に、通信インタフェース１１０を介して、録画または予約録画に関する設定情報を含む録画制御信号を記録再生装置に送信する。通信インタフェース１１０は赤外線通信等により記録再生装置１５０と通信を行う。
【００２４】
要するに、本発明に係る映像情報出力装置は、番組表を自身が表示する機能、または外部機器での表示のために番組表の情報を出力する機能を有する装置であればよい。映像情報出力装置には、上記以外にビデオテープレコーダ、パーソナルコンピュータ等も含まれる。
【００２５】
２  動作
以上のように構成された映像情報出力装置１の動作について説明する。なお、本実施形態の映像情報出力装置１は、機器本体の電源オフ時において、通電が完全に遮断されるものではなく、通電されたまま待機状態で動作し続けているものとする。すなわち、本実施形態の映像情報出力装置１において、電源オフ状態は待機状態を意味する。
【００２６】
２．１  画面表示
映像情報出力装置１は、表示装置１０に図４に示すような放送を受信した映像、または図５に示すような番組表を表示できる。映像処理部９０からの映像信号が映像選択部２０により選択された場合に、図４に示す映像が表示装置１０に表示される。また、表示用バッファ５０に保持された映像信号が映像選択部２０により選択された場合に、図５の番組表が表示装置１０に表示される。表示用バッファ５０に保持された映像信号は、表示用データ保持部８０に保持された番組表データに基づき番組表制御部６０で作成されたものである。
【００２７】
また、本実施の形態では、番組表は図５に示すように、縦方向に４時間分、横方向に３放送局分の番組情報を表示するもので、１時間単位（毎時０分）で表示更新され、垂直方向にスクロール表示できるものである。図５は１４時３０分時点での表示された番組表の表示例を示している。１４時３０分時点では、１４時から１７時の番組表を一度に表示している。番組表上では、入力装置４０の上下左右の選択キー４０５により、番組が選択できるようになっており、選択キー４０５の操作に連動して図５における選択枠３００が番組表内を移動する。なお、番組表の表示方法は、放送局と時間の表形式だけでなく、１放送局の番組を出すなど種々の方法があり、どのような表示方法であっても、番組情報を表示するものであればよい。また、図６は１５時００分時点での表示された番組表の表示例を示している。
【００２８】
２．２  動作フロー
図７は、本実施形態の映像情報出力装置１において入力装置４０の所定のボタンによる処理要求の指示があったときの処理フローを示した図である。なお、図７では、電源ボタン４０１と番組表ボタン４０２による電源オン／オフ要求、番組表の表示要求に対する処理を示している。
【００２９】
映像情報出力装置１は入力装置４０から指示を受けると（Ｓ１）、指示の内容に応じた処理を行う（Ｓ２〜Ｓ５）。指示の内容が映像情報出力装置１の電源をオフする要求である場合、電源オフ状態へ遷移するための処理である電源オフ要求時の処理を行う（Ｓ３）。指示の内容が映像情報出力装置１の電源をオンする要求である場合、電源オン状態へ遷移するための処理である電源オン要求時の処理を行う（Ｓ４）。指示の内容が番組表を表示させる要求の場合、番組表表示要求時の処理を行う（Ｓ５）。各処理（Ｓ３〜Ｓ５）の詳細は後述する。
【００３０】
ステップＳ２において、指示の内容は、入力装置４０において押下されたボタンの種別及びそのときの映像情報出力装置１の電源状態に基づいて判断できる。
【００３１】
例えば、入力装置４０の電源ボタン４０１が押下され、そのときの映像情報出力装置１の電源状態がオンであれば、その指示内容は、映像情報出力装置１の電源のオフ（すなわち待機）を要求していると判断できる。一方、入力装置４０の電源ボタン４０１が押下され、そのときの映像情報出力装置１の電源状態がオフであれば、その指示内容は、映像情報出力装置１の電源のオンを要求していると判断できる。また、入力装置４０の番組表ボタン４０２が押下されたときは、その指示内容は、番組表の表示を要求していると判断することができる。
【００３２】
２．３  電源オフ要求時の処理
図７のフローチャートにおける電源オフ要求時の処理（Ｓ３）の詳細を説明する。
入力装置４０の電源ボタン４０１の押下により電源切換の指示が電源制御部３０に通知されると、電源制御部３０は、その時点の映像情報出力装置１の状態が「電源オン」であれば、電源オフ要求時の処理（Ｓ３）を開始する。図８に電源オフ要求時の処理のフローを示す。
【００３３】
まず、電源制御部３０は、映像選択部２０の映像選択状態を制御し、表示用バッファ５０の映像および映像処理部９０の映像のいずれも表示されないようにする（Ｓ１１）。すなわち、映像選択部２０は表示装置１０へ映像信号の出力を停止する（この処理を「映像表示のミュート」という。）。これにより、表示装置１０は映像を表示しなくなる。電源オフ状態となった時の表示装置１０の状態は、映像信号が何も表示されておらず黒画面となっているので、ユーザにとっては、機器の電源がオフになっているように見える。本実施形態では、このように、本実施形態において、電源オフにするとは、単に映像信号を映像装置１０に出力しないようにすることを意味する。
【００３４】
その後、電源制御部３０は番組表制御部６０に最新の番組表を作成するように指示する（Ｓ１２）。番組表制御部６０は時間計測部７０から現在時刻の情報を取得し、現在時刻に対応した番組表を作成する。番組表制御部６０は番組表データ保持部８０に保持されている番組表データに基づいて番組表を作成し、表示用バッファ５０に格納する（Ｓ１３）。作成する番組表は、現在時刻以降で１週間分の番組表である。
【００３５】
２．３．１  電源オフ中の処理
図９を参照し、映像情報出力装置１が電源オフ状態である間になされる処理について説明する。
【００３６】
電源オフ状態の間、番組表制御部６０は時間計測部７０から時刻情報を参照し、時刻が毎時０分になると（Ｓ２１）、最新の番組表データを放送波やインターネット等から取得し、番組データ保持部８０に保持する（Ｓ２２）。取得した番組表データに基づいて番組表を作成し直し（Ｓ２３）、表示用バッファ５０に保持している番組表を更新する（Ｓ２４）。これにより、表示用バッファ５０には、常時番組表が保持され、その番組表は毎時０分に最新状態に自動更新される。なお、本実施の形態では、番組表の更新を毎時０分としたが、他のタイミングであってもよい。
【００３７】
番組表の表示更新処理の結果を図５、図６を用いて説明すると、１５時００分の番組表の表示は図６の状態となり、図５と比較して１時間分スクロールされて表示されている状態となる。なお、図５及び図６は、番組表を表示した際のイメージを示したものであり、前述のように本装置が電源オフの時は表示装置１０には番組表は表示されないので、実際には使用者は視認できない。
【００３８】
２．４  電源オン要求時の処理
図７のフローチャートにおける電源オン要求時の処理（Ｓ４）の詳細を説明する。
入力装置４０の電源ボタン４０１の押下により電源切換の指示が電源制御部３０に通知されると、電源制御部３０は、その時点の映像情報出力装置１の電源状態が「電源オフ」であれば、電源オン要求時の処理（Ｓ４）を開始する。図１０に電源オン要求時の処理のフローを示す。
【００３９】
まず、電源制御部３０は、番組表制御部６０に対して番組表の消去を要求する。番組表制御部６０は表示用バッファ５０に保持している番組表を消去し（Ｓ３１）、消去完了後、完了したことを電源制御部３０に通知する。
【００４０】
電源制御部３０は、番組表制御部６０において番組表の消去が完了した後、映像選択部２０に映像処理部９０からの映像信号を選択するように指示する（Ｓ３２）。映像選択部２０は映像処理部９０からの映像信号を選択し、表示装置１０に出力する。その結果、図２に示すように、アンテナから受信した映像が表示装置１０に表示され、映像情報出力装置１の電源がオンされた状態となる。
【００４１】
２．５  番組表表示要求時の処理
図７のフローチャートにおける番組表表示要求時の処理（Ｓ５）の詳細を説明する。
【００４２】
入力装置４０の番組表ボタン４０２の押下により番組表表示の指示が電源制御部３０に通知されると、番組表を表示装置１０に表示させるための処理を行う。図１１に、番組表の表示処理のフローを示す。
入力装置４０から番組表表示の指示があると、図１に示すように、電源制御部３０は映像情報出力装置１の電源状態を判別し（Ｓ４１）、その時点の映像情報出力装置１の電源状態がオフであれば、電源オンへの遷移処理および番組表の表示処理を実行する。
【００４３】
電源オンへの遷移処理では、電源制御部３０はまず映像選択部２０に表示用バッファ５０の表示を選択するように指示する（Ｓ４２）。この時点では、映像情報出力装置１は電源がオフであることから、映像選択部２０は表示装置１０への映像信号の出力を停止（ミュート）している。映像選択部２０は、電源制御部３０からの指示にしたがい、表示用バッファ５０で保持している番組表を入力し、表示装置１０に出力する（すなわち、ミュートを解除する）（Ｓ４３）。表示装置１０は、映像選択部２０から出力される番組表を画面上に表示する。その結果、表示装置１０には、図５に示すように番組表が表示され、映像情報出力装置１は電源がオンされた状態となる。このように、オフ状態において番組表表示が要求された場合、オフ状態の間に準備された表示用バッファ５０の番組表を瞬時に表示装置１０に出力でき、短時間で番組表を表示装置１０上で表示させることができる。このため、ユーザは番組表の表示まで長時間待たされる必要がなく、快適な操作環境が得られる。
【００４４】
一方、映像情報出力装置１の電源が「オン状態」であると判定された場合（Ｓ４１）、電源制御部３０は以下のように番組表制御部６０及び映像選択部２０を制御する。
【００４５】
番組表制御部６０は、番組表データ保持部８０で保持している番組情報に基づき番組表を作成して表示用バッファ５０に格納する（Ｓ４４）。その後、映像選択部２０は表示用バッファ５０の映像信号を選択し、表示装置１０に出力する（Ｓ４５）。これにより、表示装置１０において表示用バッファ５０に格納された番組表が表示される。このように、映像情報出力装置１の電源が「オン状態」のときに番組表の表示要求がなされた場合は、その時点で最新の番組表を作成し、その作成した番組表を表示する。
【００４６】
２．６  録画および予約録画の処理
表示装置１０に図５または図６に示すような番組表が表示されているときに、入力装置４０の予約録画ボタン４０４が押下されると、予約録画指示が番組表制御部６０に通知される。番組表制御部６０は、番組表上で選択されている番組に対する予約録画命令を録画制御部１００に送信する。録画制御部１００は予約録画命令にしたがい、選択された番組の予約録画を設定する。
【００４７】
その後、予約録画設定にて設定した録画時刻になると、録画制御部１００は、映像処理部９０が予約録画設定したチャンネルを選局するように、映像処理部９０を制御する。録画制御部１００は、映像処理部９０において選局されたチャンネルの映像信号を受信し、記録媒体に記録する。例えば図５の例では、放送局「６ＳＢＳ」の「名作劇場」が予約録画されることとなる。
【００４８】
また、表示装置１０に、図５または図６に示す番組表が表示されている状態で、入力装置４０の録画ボタン４０３が押下されると、録画指示が番組表制御部６０に通知される。番組表制御部６０は、選択されている放送局の録画命令を録画制御部１００に送信する。
録画制御部１００は、選択された放送局の放送中の番組の映像信号を映像処理部９０から入力し、記録媒体に記録する。例えば、図５の例では、放送局「６ＳＢＳ」で現在放送中の番組「ワイドワイド」が録画される。
【００４９】
なお、録画操作の指示は、入力装置４０の録画ボタン４０３により行う以外に、入力装置４０の決定ボタン４０６を押下し、選択中の番組、放送局を指示してもよい。録画や予約録画の操作方法は、従来のビデオテープレコーダやＤＶＤレコーダの機能として周知であるため、ここでの説明は省略する。
【００５０】
３  まとめ
以上のように、本実施形態の映像情報出力装置によれば、電源オフ状態中に、表示装置への映像出力を停止させることで、外見上オフ状態であるように見せて、かつ、最新の番組表を常時保持しておく。これにより、電源オフ状態において番組表の表示要求がなされた場合に、迅速に表示装置へ番組表を表示させることが可能となる。
【産業上の利用可能性】
【００５１】
本発明は、放送やインターネットから入手可能な電子番組表（ＥＰＧ）を表示可能な機器に利用可能である。その応用範囲は、ＤＶＤレコーダ等の記録再生装置や、テレビジョン受像機等の映像表示装置のみならず、少なくとも電子番組表を表示可能な機能を備えた装置におよぶ。
【００５２】
本発明は、特定の実施形態について説明されてきたが、当業者にとっては他の多くの変形例、修正、他の利用が明らかである。それゆえ、本発明は、ここでの特定の開示に限定されず、添付の請求の範囲によってのみ限定され得る。
【００５３】
なお、本出願は日本国特許出願、特願２００４−３７２８０５号（２００４年１２月２４日提出）に関連し、それらの内容は参照することにより本文中に組み入れられる。
【図面の簡単な説明】
【００５４】
【図１】本発明の実施形態である映像情報出力装置の構成を示す図
【図２】映像情報出力装置の入力装置（リモコン）の一例を示す図
【図３】映像情報出力装置の別の構成を示す図
【図４】映像情報出力装置により表示装置上での番組の表示例を示す図
【図５】番組表の表示例を示す図
【図６】番組表の別の表示例を示す図
【図７】入力装置から指示を受信したときの映像情報出力装置の処理を示すフローチャート
【図８】電源オフ要求時の映像情報出力装置の処理を示すフローチャート
【図９】電源オフ状態中の映像情報出力装置の処理を示すフローチャート
【図１０】電源オン要求時の映像情報出力装置の処理を示すフローチャート
【図１１】番組表表示要求時の映像情報出力装置の処理を示すフローチャート
【符号の説明】
【００５５】
１    映像情報出力装置（データ処理装置）
１０    表示装置
２０    映像選択部
３０    電源制御部
４０    入力装置
５０    表示用バッファ
６０    番組表制御部
７０    時間計測部
７５    番組表データ取得部
８０    番組表データ保持部
９０    映像処理部
１００    録画制御部
１１０    通信インタフェース
１５０    記録再生装置
【図１】
2007532039.tif 000003
【図２】
2007532039.tif 000004
【図３】
2007532039.tif 000005
【図４】
2007532039.tif 000006
【図５】
2007532039.tif 000007
【図６】
2007532039.tif 000008
【図７】
2007532039.tif 000009
【図８】
2007532039.tif 000010
【図９】
2007532039.tif 000011
【図１０】
2007532039.tif 000012
【図１１】
2007532039.tif 000013
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
表示画面を作成し、かつ電源待機時において映像出力をミュートする映像情報出力装置であって、
外部から表示画面を作成するためのデータを取得する取得部と、
前記取得部で取得されたデータを保存する第１保存部と、
前記データ処理装置の電源オンまたは待機の要求が有るか否かを判定する判定部と、
前記判定部で装置の電源待機の要求が有ると判定した場合に、前記第１保存部で保存されたデータを用いて、表示画面を作成する作成部と、
前記作成部で作成された表示画面を保存する第２保存部と
を備え、
当該映像情報出力装置の電源待機時において外部より表示画面の表示要求があったときに、映像出力のミュートを解除し、前記第２保存部に保存された表示画面を出力する、
映像情報出力装置。
【請求項２】
実時間を計測する計測部と、
前記計測部で計測された実時間が所定の時刻であるか否かを判定する時刻判定部と、
前記時刻判定部で所定の時刻であると判定した場合に、前記第１保存部で保存されたデータを用いて、表示画面を作成する作成部と、
前記作成部で作成された表示画面を保存する第２保存部とをさらに備える請求項１記載の映像情報出力装置。
【請求項３】
表示画面を表示する表示部と、
当該映像情報出力装置に、表示画面の表示要求が有るか否かを判定する第２判定部と、
前記第２判定部で前記表示画面の表示要求が有ると判定した場合に、装置の電源状態を判定する第３判定部と
前記第３判定部で装置の電源が待機状態であると判定した場合に、前記第２保存部で保存された表示画面を前記表示部に表示させる制御部と
をさらに備える、請求項１または請求項２に記載の映像情報出力装置。
【請求項４】
前記制御部は、前記判定部で電源オンの要求が有ると判定した場合に、前記第２保存部で保存された表示画面を消去することを特徴とする、請求項３に記載の映像情報出力装置。
【請求項５】
前記第１保存部で保存されるデータは番組表を作成するためのデータであることを特徴とする、請求項１または請求項２に記載の映像情報出力装置。
【請求項６】
前記第１保存部で保存されるデータは番組表を作成するためのデータであることを特徴とする、請求項３に記載の映像情報出力装置。
【請求項７】
表示画面を作成し、かつ電源待機時において映像出力をミュートする装置に対する映像情報処理方法であって、
外部から表示画面を作成するためのデータを取得するステップと、
前記取得されたデータを第１保存部に保存するステップと、
前記装置の電源オンまたは待機の要求が有るか否かを判定するステップと、
前記装置の電源待機の要求が有ると判定した場合に、前記第１保存部に保存されたデータを用いて、表示画面を作成するステップと、
前記作成された表示画面を第２保存部に保存するステップと、
前記装置の電源待機時において外部より表示画面の表示要求があったときに、映像出力のミュートを解除し、前記第２保存部に保存された表示画面を出力するステップと
を有する映像情報処理方法。
【請求項８】
実時間を計測するステップと、
前記計測された実時間が所定の時刻であるか否かを判定するステップと、
前記計測された実時間が所定の時刻であると判定した場合に、前記第１保存部に保存されたデータを用いて、表示画面を作成するステップと、
前記作成された表示画面を第２保存部に保存するステップと
をさらに有する請求項７記載の映像情報処理方法。
【請求項９】
前記装置に表示画面の表示要求が有るか否かを判定するステップと、
装置に表示画面の表示要求が有ると判定した場合に、前記装置の電源状態を判定するステップと、
前記装置の電源状態が待機状態であると判定した場合に、前記第２保存部に保存された表示画面を表示するステップと
をさらに有する、請求項７または請求項８に記載の映像情報処理方法。
【手続補正２】
【補正対象書類名】明細書
【補正対象項目名】全文
【補正方法】変更
【補正の内容】
【発明の詳細な説明】
【技術分野】
【０００１】
本発明は、放送信号やインターネット等から番組情報を取得し、番組表を作成し、画面上に表示するデータ処理装置に関する。
【背景技術】
【０００２】
近年、放送受信機器や録画機器において、電源オフの間に、番組情報を放送信号やインターネットから取得し、電源オン後、取得した番組情報に基づいて番組表（EPG：Electric Program Guide）を作成し画面上に表示する機器が普及している。例として、特許文献１がある。
【特許文献１】特開２００３−１６３８５４号公報
【発明の開示】
【発明が解決しようとする課題】
【０００３】
近年、放送受信機器や録画機器は多機能化により、機器の電源オフ状態から立ち上げにおいて、その起動時間に数十秒を要するようになってきた。これは、電源オフ状態において、電源オンすると、所定のソフトウェアのローディングや、ドライブの判別等、種々の処理を実行する必要があるからである。
【０００４】
このため、放送受信機器や録画機器において電源オンの操作をしてから、番組表が表示されるようになるまでには、最低でも、数十秒かかっていた。このため、ユーザは、機器の立ち上げ時において、短時間の間に番組表の閲覧や番組の予約などを行いたくても、機器の起動時間の数十秒待たされることとなり、番組表の閲覧や番組の録画の予約作業においてストレスを感じることがあった。
【０００５】
本発明は上記課題を解決すべくなされたものであり、その目的とするところは、機器の起動時に迅速に番組表の閲覧を可能とするデータ処理装置を提供することにある。
【課題を解決するための手段】
【０００６】
本発明の第１の態様において、表示画面を作成し、かつ電源待機時において映像出力をミュートする映像情報出力装置が提供される。映像情報出力装置は、外部から表示画面を作成するためのデータを取得する取得部と、取得部で取得されたデータを保存する第１保存部と、データ処理装置の電源オンまたは待機の要求が有るか否かを判定する判定部と、その判定部で装置の電源待機の要求が有ると判定した場合に、第１保存部で保存されたデータを用いて、表示画面を作成する作成部と、作成部で作成された表示画面を保存する第２保存部とを備える。映像情報出力装置は、電源待機時において外部より表示画面の表示要求があったときに、映像出力のミュートを解除し、第２保存部に保存された表示画面を出力する。
【０００７】
この構成によれば、装置の待機状態中に、表示画面を作成し、保存しておくことができ、待機状態が解除された際、直ちに、その保存した表示画面を表示に使用することができる。
【０００８】
上記の映像情報出力装置は、実時間を計測する計測部と、計測部で計測された実時間が所定の時刻であるか否かを判定する時刻判定部と、その時刻判定部で所定の時刻であると判定した場合に、第１保存部で保存されたデータを用いて、表示画面を作成する作成部と、作成部で作成された表示画面を保存する第２保存部とを備えてもよい。
【０００９】
この構成によれば、保存された表示画面を所定の時刻毎に最新のものに更新することができ、表示画面の表示要求があった際に、直ちに最新の表示画面を表示に使用することができる。
【００１０】
上記の映像情報出力装置は、さらに、表示画面を表示する表示部と、映像情報出力装置に表示画面の表示要求が有るか否かを判定する第２判定部と、第２判定部で表示画面の表示要求が有ると判定した場合に、データ処理装置の電源状態を判定する第３判定部と、第３判定部で装置の電源が待機状態であると判定した場合に、前記第２保存部で保存された表示画面を表示部に表示させる制御部とを備えてもよい。この構成により、表示画面の表示要求があったときに直ちに表示画面を表示させることができる。
【００１１】
本発明の第２の態様において、表示画面を作成し、かつ電源待機時において映像出力をミュートする装置に対する映像情報処理方法が提供される。その映像情報処理方法は、外部から表示画面を作成するためのデータを取得する取得ステップと、取得ステップで取得されたデータを第１保存部に保存する第１保存ステップと、装置の電源オンまたは待機の要求が有るか否かを判定する第１判定ステップと、第１判定ステップで装置の電源待機の要求が有ると判定した場合に、第１保存部にステップで保存されたデータを用いて、表示画面を作成する作成ステップと、作成ステップで作成された表示画面を第２保存部に保存する第２保存ステップと、装置の電源待機時において外部より表示画面の表示要求があったときに、映像出力のミュートを解除し、第２保存部に保存された表示画面を出力するステップとを有する。
【００１２】
上記第２の態様において、さらに、実時間を計測する計測ステップと、計測ステップで計測された実時間が所定の時刻であるか否かを判定する第２判定ステップと、計測された実時間が第２判定ステップで所定の時刻であると判定した場合に、第１保存部にステップで保存されたデータを用いて、表示画面を作成する作成ステップと、作成ステップで作成された表示画面を第２保存部に保存する第２保存ステップとを有してもよい。
【発明の効果】
【００１３】
本発明の映像情報出力装置は、電源オフの状態から、特定ボタンを操作することにより、最新の番組表を瞬時に表示することができ、ユーザは番組表の閲覧、番組録画の予約をストレス無く実行できる。
【発明を実施するための最良の形態】
【００１４】
以下、本発明のデータ処理装置（映像情報出力装置）の実施形態を、映像情報出力装置の例を用いて添付の図面を参照しながら説明する。なお、以下の説明において「番組表」とは実際に表示装置に表示される番組表映像に相当し、「番組表データ」とは番組表を作成するための元データ（番組情報）のことである。
【００１５】
１  構成
図１は、本発明の実施形態の映像情報出力装置の構成を示す図である。
映像情報出力装置１は、映像選択部２０と、電源制御部３０と、入力装置４０と、表示用バッファ５０と、番組表制御部６０と、時間計測部７０と、番組表データ取得部７５と、番組表データ保持部８０と、映像処理部９０と、録画制御部１００とを備える。
本実施の形態では、映像情報出力装置１は、映像信号をＤＶＤ（Digital Versatile Disk）やＨＤＤ（Hard Disk Drive）等の記録媒体に記録し、且つ、記録した映像信号を再生可能なＤＶＤレコーダであるとする。映像情報出力装置１は表示装置１０に対して映像信号を出力可能である。
表示装置１０は映像信号が表示可能な装置であり、例えば、テレビジョン受像機やモニタである。映像選択部２０は、映像処理部９０からの映像信号及び表示用バッファ５０からの映像信号のいずれかを選択的に表示装置１０に出力する。なお、映像選択部２０は必要に応じて映像処理部９０からの映像信号と表示用バッファ５０からの映像信号とを重畳して表示装置１０に出力してもよい。電源制御部３０は映像情報出力装置１の電源状態の管理および制御を行う。
【００１６】
入力装置４０はユーザが行う様々な操作指示を入力可能な装置であり、本実施形態では、入力装置４０は映像情報出力装置１の遠隔操作を可能とするリモコンとする。なお、入力装置４０は、遠隔操作を行うリモコンの替わりに映像情報出力装置本体に装備された操作部であってもよい。図２に入力装置４０（リモコン）の構成を示す。入力装置４０は種々のボタン４０１、４０２、…を有する。電源ボタン４０１は映像情報出力装置の電源をオン／オフするボタンである。番組表ボタン４０２は、表示装置１０上に番組表を表示させるためのボタンである。録画ボタン４０３は、受信中の番組の録画を開始させるボタンである。予約録画ボタン４０４は録画予約を開始するためのボタンである。上下左右の選択ボタン４０５は、ユーザによる設定や選択において所望の項目を選択するために使用するボタンである。
【００１７】
図１に戻り、表示用バッファ５０は、表示装置１０上に表示させるべきグラフィックス情報を格納する手段であり、ビデオＲＡＭ等で構成される。本実施の形態では、表示用バッファ５０には、少なくとも番組表制御部６０の制御により番組表が格納される。
【００１８】
番組表制御部６０は、放送波やインターネットから伝送される番組表データに基づき番組表を作成するとともに、番組表に対する種々の制御を行う。時間計測部７０は実時間を計測する。
【００１９】
番組表データ取得部７５は、放送信号やインターネット等から所定のタイミングで番組表データを取得する。
【００２０】
番組表データ保持部８０は不揮発メモリ等の記憶装置で構成され、番組表データ取得部７５により取得された番組表データを格納する。映像処理部９０はアンテナ及びチューナを介して本映像情報出力装置に入力される信号を処理して映像信号を出力する。
【００２１】
番組表データ保持部８０は、現時刻から１週間分の番組データを常に保持しているものとする。保持期間は１週間に限るものではない。また、映像処理部９０が出力する映像の生成元は、アナログ放送またはデジタル放送の放送信号を復号したものなどが考えられる。また、表示用バッファ５０を番組表の表示のために使用しているが、それ以外の情報の表示（例えば、メニュー画面、機器の状態表示・設定画面）に使用してもよい。
【００２２】
録画制御部１００は映像信号の録画や予約録画を実施し、映像信号を記録するＨＤＤ等の記録媒体と、記録媒体にアクセスする記録部と、記録部に対する録画動作制御や予約録画制御を行う制御部とを含む。
【００２３】
なお、映像情報出力装置はＤＶＤレコーダに限られず、テレビジョン受像機であってもよい。映像情報出力装置がテレビジョン受像機である場合の構成を図３に示す。図３に示す映像情報出力装置１ｂは表示装置１０ｂを含み、表示装置１０ｂは映像信号が表示可能なＣＲＴディスプレイやＬＣＤ（液晶ディスプレイ）である。録画制御部１００は、ＤＶＤレコーダなどの記録再生装置１５０に、通信インタフェース１１０を介して、録画または予約録画に関する設定情報を含む録画制御信号を記録再生装置に送信する。通信インタフェース１１０は赤外線通信等により記録再生装置１５０と通信を行う。
【００２４】
要するに、本発明に係る映像情報出力装置は、番組表を自身が表示する機能、または外部機器での表示のために番組表の情報を出力する機能を有する装置であればよい。映像情報出力装置には、上記以外にビデオテープレコーダ、パーソナルコンピュータ等も含まれる。
【００２５】
２  動作
以上のように構成された映像情報出力装置１の動作について説明する。なお、本実施形態の映像情報出力装置１は、機器本体の電源オフ時において、通電が完全に遮断されるものではなく、通電されたまま待機状態で動作し続けているものとする。すなわち、本実施形態の映像情報出力装置１において、電源オフ状態は待機状態を意味する。
【００２６】
２．１  画面表示
映像情報出力装置１は、表示装置１０に図４に示すような放送を受信した映像、または図５に示すような番組表を表示できる。映像処理部９０からの映像信号が映像選択部２０により選択された場合に、図４に示す映像が表示装置１０に表示される。また、表示用バッファ５０に保持された映像信号が映像選択部２０により選択された場合に、図５の番組表が表示装置１０に表示される。表示用バッファ５０に保持された映像信号は、表示用データ保持部８０に保持された番組表データに基づき番組表制御部６０で作成されたものである。
【００２７】
また、本実施の形態では、番組表は図５に示すように、縦方向に４時間分、横方向に３放送局分の番組情報を表示するもので、１時間単位（毎時０分）で表示更新され、垂直方向にスクロール表示できるものである。図５は１４時３０分時点での表示された番組表の表示例を示している。１４時３０分時点では、１４時から１７時の番組表を一度に表示している。番組表上では、入力装置４０の上下左右の選択キー４０５により、番組が選択できるようになっており、選択キー４０５の操作に連動して図５における選択枠３００が番組表内を移動する。なお、番組表の表示方法は、放送局と時間の表形式だけでなく、１放送局の番組を出すなど種々の方法があり、どのような表示方法であっても、番組情報を表示するものであればよい。また、図６は１５時００分時点での表示された番組表の表示例を示している。
【００２８】
２．２  動作フロー
図７は、本実施形態の映像情報出力装置１において入力装置４０の所定のボタンによる処理要求の指示があったときの処理フローを示した図である。なお、図７では、電源ボタン４０１と番組表ボタン４０２による電源オン／オフ要求、番組表の表示要求に対する処理を示している。
【００２９】
映像情報出力装置１は入力装置４０から指示を受けると（Ｓ１）、指示の内容に応じた処理を行う（Ｓ２〜Ｓ５）。指示の内容が映像情報出力装置１の電源をオフする要求である場合、電源オフ状態へ遷移するための処理である電源オフ要求時の処理を行う（Ｓ３）。指示の内容が映像情報出力装置１の電源をオンする要求である場合、電源オン状態へ遷移するための処理である電源オン要求時の処理を行う（Ｓ４）。指示の内容が番組表を表示させる要求の場合、番組表表示要求時の処理を行う（Ｓ５）。各処理（Ｓ３〜Ｓ５）の詳細は後述する。
【００３０】
ステップＳ２において、指示の内容は、入力装置４０において押下されたボタンの種別及びそのときの映像情報出力装置１の電源状態に基づいて判断できる。
【００３１】
例えば、入力装置４０の電源ボタン４０１が押下され、そのときの映像情報出力装置１の電源状態がオンであれば、その指示内容は、映像情報出力装置１の電源のオフ（すなわち待機）を要求していると判断できる。一方、入力装置４０の電源ボタン４０１が押下され、そのときの映像情報出力装置１の電源状態がオフであれば、その指示内容は、映像情報出力装置１の電源のオンを要求していると判断できる。また、入力装置４０の番組表ボタン４０２が押下されたときは、その指示内容は、番組表の表示を要求していると判断することができる。
【００３２】
２．３  電源オフ要求時の処理
図７のフローチャートにおける電源オフ要求時の処理（Ｓ３）の詳細を説明する。
入力装置４０の電源ボタン４０１の押下により電源切換の指示が電源制御部３０に通知されると、電源制御部３０は、その時点の映像情報出力装置１の状態が「電源オン」であれば、電源オフ要求時の処理（Ｓ３）を開始する。図８に電源オフ要求時の処理のフローを示す。
【００３３】
まず、電源制御部３０は、映像選択部２０の映像選択状態を制御し、表示用バッファ５０の映像および映像処理部９０の映像のいずれも表示されないようにする（Ｓ１１）。すなわち、映像選択部２０は表示装置１０へ映像信号の出力を停止する（この処理を「映像表示のミュート」という。）。これにより、表示装置１０は映像を表示しなくなる。電源オフ状態となった時の表示装置１０の状態は、映像信号が何も表示されておらず黒画面となっているので、ユーザにとっては、機器の電源がオフになっているように見える。本実施形態では、このように、本実施形態において、電源オフにするとは、単に映像信号を映像装置１０に出力しないようにすることを意味する。
【００３４】
その後、電源制御部３０は番組表制御部６０に最新の番組表を作成するように指示する（Ｓ１２）。番組表制御部６０は時間計測部７０から現在時刻の情報を取得し、現在時刻に対応した番組表を作成する。番組表制御部６０は番組表データ保持部８０に保持されている番組表データに基づいて番組表を作成し、表示用バッファ５０に格納する（Ｓ１３）。作成する番組表は、現在時刻以降で１週間分の番組表である。
【００３５】
２．３．１  電源オフ中の処理
図９を参照し、映像情報出力装置１が電源オフ状態である間になされる処理について説明する。
【００３６】
電源オフ状態の間、番組表制御部６０は時間計測部７０から時刻情報を参照し、時刻が毎時０分になると（Ｓ２１）、最新の番組表データを放送波やインターネット等から取得し、番組データ保持部８０に保持する（Ｓ２２）。取得した番組表データに基づいて番組表を作成し直し（Ｓ２３）、表示用バッファ５０に保持している番組表を更新する（Ｓ２４）。これにより、表示用バッファ５０には、常時番組表が保持され、その番組表は毎時０分に最新状態に自動更新される。なお、本実施の形態では、番組表の更新を毎時０分としたが、他のタイミングであってもよい。
【００３７】
番組表の表示更新処理の結果を図５、図６を用いて説明すると、１５時００分の番組表の表示は図６の状態となり、図５と比較して１時間分スクロールされて表示されている状態となる。なお、図５及び図６は、番組表を表示した際のイメージを示したものであり、前述のように本装置が電源オフの時は表示装置１０には番組表は表示されないので、実際には使用者は視認できない。
【００３８】
２．４  電源オン要求時の処理
図７のフローチャートにおける電源オン要求時の処理（Ｓ４）の詳細を説明する。
入力装置４０の電源ボタン４０１の押下により電源切換の指示が電源制御部３０に通知されると、電源制御部３０は、その時点の映像情報出力装置１の電源状態が「電源オフ」であれば、電源オン要求時の処理（Ｓ４）を開始する。図１０に電源オン要求時の処理のフローを示す。
【００３９】
まず、電源制御部３０は、番組表制御部６０に対して番組表の消去を要求する。番組表制御部６０は表示用バッファ５０に保持している番組表を消去し（Ｓ３１）、消去完了後、完了したことを電源制御部３０に通知する。
【００４０】
電源制御部３０は、番組表制御部６０において番組表の消去が完了した後、映像選択部２０に映像処理部９０からの映像信号を選択するように指示する（Ｓ３２）。映像選択部２０は映像処理部９０からの映像信号を選択し、表示装置１０に出力する。その結果、図２に示すように、アンテナから受信した映像が表示装置１０に表示され、映像情報出力装置１の電源がオンされた状態となる。
【００４１】
２．５  番組表表示要求時の処理
図７のフローチャートにおける番組表表示要求時の処理（Ｓ５）の詳細を説明する。
【００４２】
入力装置４０の番組表ボタン４０２の押下により番組表表示の指示が電源制御部３０に通知されると、番組表を表示装置１０に表示させるための処理を行う。図１１に、番組表の表示処理のフローを示す。
入力装置４０から番組表表示の指示があると、図１に示すように、電源制御部３０は映像情報出力装置１の電源状態を判別し（Ｓ４１）、その時点の映像情報出力装置１の電源状態がオフであれば、電源オンへの遷移処理および番組表の表示処理を実行する。
【００４３】
電源オンへの遷移処理では、電源制御部３０はまず映像選択部２０に表示用バッファ５０の表示を選択するように指示する（Ｓ４２）。この時点では、映像情報出力装置１は電源がオフであることから、映像選択部２０は表示装置１０への映像信号の出力を停止（ミュート）している。映像選択部２０は、電源制御部３０からの指示にしたがい、表示用バッファ５０で保持している番組表を入力し、表示装置１０に出力する（すなわち、ミュートを解除する）（Ｓ４３）。表示装置１０は、映像選択部２０から出力される番組表を画面上に表示する。その結果、表示装置１０には、図５に示すように番組表が表示され、映像情報出力装置１は電源がオンされた状態となる。このように、オフ状態において番組表表示が要求された場合、オフ状態の間に準備された表示用バッファ５０の番組表を瞬時に表示装置１０に出力でき、短時間で番組表を表示装置１０上で表示させることができる。このため、ユーザは番組表の表示まで長時間待たされる必要がなく、快適な操作環境が得られる。
【００４４】
一方、映像情報出力装置１の電源が「オン状態」であると判定された場合（Ｓ４１）、電源制御部３０は以下のように番組表制御部６０及び映像選択部２０を制御する。
【００４５】
番組表制御部６０は、番組表データ保持部８０で保持している番組情報に基づき番組表を作成して表示用バッファ５０に格納する（Ｓ４４）。その後、映像選択部２０は表示用バッファ５０の映像信号を選択し、表示装置１０に出力する（Ｓ４５）。これにより、表示装置１０において表示用バッファ５０に格納された番組表が表示される。このように、映像情報出力装置１の電源が「オン状態」のときに番組表の表示要求がなされた場合は、その時点で最新の番組表を作成し、その作成した番組表を表示する。
【００４６】
２．６  録画および予約録画の処理
表示装置１０に図５または図６に示すような番組表が表示されているときに、入力装置４０の予約録画ボタン４０４が押下されると、予約録画指示が番組表制御部６０に通知される。番組表制御部６０は、番組表上で選択されている番組に対する予約録画命令を録画制御部１００に送信する。録画制御部１００は予約録画命令にしたがい、選択された番組の予約録画を設定する。
【００４７】
その後、予約録画設定にて設定した録画時刻になると、録画制御部１００は、映像処理部９０が予約録画設定したチャンネルを選局するように、映像処理部９０を制御する。録画制御部１００は、映像処理部９０において選局されたチャンネルの映像信号を受信し、記録媒体に記録する。例えば図５の例では、放送局「６ＳＢＳ」の「名作劇場」が予約録画されることとなる。
【００４８】
また、表示装置１０に、図５または図６に示す番組表が表示されている状態で、入力装置４０の録画ボタン４０３が押下されると、録画指示が番組表制御部６０に通知される。番組表制御部６０は、選択されている放送局の録画命令を録画制御部１００に送信する。
録画制御部１００は、選択された放送局の放送中の番組の映像信号を映像処理部９０から入力し、記録媒体に記録する。例えば、図５の例では、放送局「６ＳＢＳ」で現在放送中の番組「ワイドワイド」が録画される。
【００４９】
なお、録画操作の指示は、入力装置４０の録画ボタン４０３により行う以外に、入力装置４０の決定ボタン４０６を押下し、選択中の番組、放送局を指示してもよい。録画や予約録画の操作方法は、従来のビデオテープレコーダやＤＶＤレコーダの機能として周知であるため、ここでの説明は省略する。
【００５０】
３  まとめ
以上のように、本実施形態の映像情報出力装置によれば、電源オフ状態中に、表示装置への映像出力を停止させることで、外見上オフ状態であるように見せて、かつ、最新の番組表を常時保持しておく。これにより、電源オフ状態において番組表の表示要求がなされた場合に、迅速に表示装置へ番組表を表示させることが可能となる。
【産業上の利用可能性】
【００５１】
本発明は、放送やインターネットから入手可能な電子番組表（ＥＰＧ）を表示可能な機器に利用可能である。その応用範囲は、ＤＶＤレコーダ等の記録再生装置や、テレビジョン受像機等の映像表示装置のみならず、少なくとも電子番組表を表示可能な機能を備えた装置におよぶ。
【００５２】
本発明は、特定の実施形態について説明されてきたが、当業者にとっては他の多くの変形例、修正、他の利用が明らかである。それゆえ、本発明は、ここでの特定の開示に限定されず、添付の請求の範囲によってのみ限定され得る。
【００５３】
なお、本出願は日本国特許出願、特願２００４−３７２８０５号（２００４年１２月２４日提出）に関連し、それらの内容は参照することにより本文中に組み入れられる。
【図面の簡単な説明】
【００５４】
【図１】本発明の実施形態である映像情報出力装置の構成を示す図
【図２】映像情報出力装置の入力装置（リモコン）の一例を示す図
【図３】映像情報出力装置の別の構成を示す図
【図４】映像情報出力装置により表示装置上での番組の表示例を示す図
【図５】番組表の表示例を示す図
【図６】番組表の別の表示例を示す図
【図７】入力装置から指示を受信したときの映像情報出力装置の処理を示すフローチャート
【図８】電源オフ要求時の映像情報出力装置の処理を示すフローチャート
【図９】電源オフ状態中の映像情報出力装置の処理を示すフローチャート
【図１０】電源オン要求時の映像情報出力装置の処理を示すフローチャート
【図１１】番組表表示要求時の映像情報出力装置の処理を示すフローチャート
【符号の説明】
【００５５】
１    映像情報出力装置（データ処理装置）
１０    表示装置
２０    映像選択部
３０    電源制御部
４０    入力装置
５０    表示用バッファ
６０    番組表制御部
７０    時間計測部
７５    番組表データ取得部
８０    番組表データ保持部
９０    映像処理部
１００    録画制御部
１１０    通信インタフェース
１５０    記録再生装置
【国際調査報告】
2007532039.tif 000014
2007532039.tif 000015
2007532039.tif 000016
2007532039.tif 000017
2007532039.tif 000018